(57)【要約】【課題】  使用者がシートキースイッチを確実に押していることを分かるようにして、加熱部に対する安全機能を手間取ることなく設定・解除することを可能としたシートキースイッチ付きガスこんろを提供することである。【解決手段】  こんろ本体の操作表示パネルに設けたシートキースイッチであるチャイルドロックスイッチを押したら（オン）、パネルの７セグメントＬＥＤ表示部のセグメントｅを点灯して表示し、スイッチを押し続けて１秒経過するたびに、セグメントｄ、ｃ、ｇの順に１つずつ点灯を追加して経過の表示をし、スイッチを押してから３秒押し続けた時点で、チャイルドロック機能の設定・解除に必要な時間だけ押し続けた完了表示として、セグメントｅ、ｄ、ｃ、ｇによる四角形を完成させるようにした。【選択図】        図４
2006242423.tif 000002
【特許請求の範囲】
【請求項１】
加熱部での加熱時間を設定する設定スイッチを含む複数の操作スイッチと、前記加熱時間を表示する７セグメントＬＥＤ表示部とを備えた操作表示パネルに、所定押し時間押し続けることによって前記加熱部についての安全機能の設定・解除を行うシートキースイッチを備えたシートキースイッチ付きガスこんろにおいて、
前記７セグメントＬＥＤ表示部に、前記シートキースイッチを押したときに、少なくとも１つのセグメントＬＥＤを点灯し、該スイッチを所定時間押し続けたときに、セグメントＬＥＤによる図形、数字または記号等の完了表示を完成するとともに、その間、点灯するセグメントＬＥＤを前記完了表示に向けて変化させることを特徴とするシートキースイッチつきガスこんろ。
【請求項２】
前記シートキースイッチは、年少者のいたずらによる前記加熱部の点火を防ぐためのチャイルドロック機能の設定・解除スイッチである請求項１のガスこんろ。
【請求項３】
前記シートキースイッチは、前記加熱部上の調理鍋の有無を検知する鍋検知センサの検知機能の設定・解除スイッチである請求項１のガスこんろ。
【請求項４】
前記シートキースイッチは、前記加熱部上の調理鍋底板の鍋底温度センサによる温度検出で制御される鍋底温度について所定の高い温度を選択する高温モードの設定・解除スイッチである請求項１のガスこんろ。
【発明の詳細な説明】
【技術分野】
【０００１】
本発明は、シートキータイプの操作スイッチによって加熱部に対する安全機能の設定・解除を行うシートキースイッチ付きガスこんろに関する。
【背景技術】
【０００２】
従来より、温風暖房機などの加熱装置には、子供のいたずらに対し安全性を高めるために、例えば操作表示パネルの温度上げボタン、下げボタンを押しても、設定温度の変更を受け付けない等の処置をするチャイルドロック機能を備えたものが知られている（例えば特許文献１を参照）。
【０００３】
この引用文献１の加熱装置では、チャイルドロック機能の設定・解除は、例えば温度上げボタン、下げボタンを同時に数秒間（例えば２〜３秒間）押し続けることで行われ、これを繰返すたびに交互に設定と解除に切替わる。その設定・解除の完了は、設定ランプの点灯・消灯により確認できるようになっている。
【０００４】
ガスこんろにおいても、このようなチャイルドロック機能を設けることが望まれている。ところで、台所のワークトップに開設した開口に吊設するビルトインタイプのガスこんろでは、こんろ本体前面の美観や高級化を図るため、バーナ燃焼時間の設定スイッチやバーナ選択スイッチ等の操作スイッチをシートキースイッチで構成して、これらのスイッチや表示ランプ、表示器等を組み込んだ操作表示パネルを薄板状のフラットタイプに形成し、これをこんろ本体前面に出入自在に設置することが行われている。
【０００５】
したがって、チャイルドロック機能の設定・解除用スイッチ（チャイルドロックスイッチ）をフラットタイプの操作表示パネルに組み込む場合、シートキータイプの形で組み込むこととなる。またそのロックスイッチを押すことによるチャイルドロック機能の設定・解除は、安全を期すために、ロックスイッチを数秒間押し続けることによって実行されるように構成されることになる。
【０００６】
このため、使用者は、自分で押し時間をカウントしながらチャイルドロックスイッチを押すか、ブザーで報知するものでは、ブザーが鳴るまで押し続けることを要するが、シートキータイプでは、ボタンスイッチなどと違って確実に押していることがわかりづらく、押し損ねてチャイルドロック機能の設定・解除に手間取る問題があった。
【０００７】
またガスこんろには、バーナの五徳上に載置された調理鍋の加熱温度を設定するために、バーナの中心に調理鍋の底板の温度を底板に接触して検知する鍋底温度センサを設置したり、あるいは調理鍋が載置されていない状態で加熱するのを防ぐために、調理鍋の有無を検知する鍋検知センサを鍋底温度センサに組み込み、または別途単体で設置したりする場合があるが、その鍋底温度センサによって高温調理をするモードを設定・解除する高温モードスイッチや、鍋検知センサの検知機能を設定・解除するセンサ切りスイッチをシートキースイッチの形で操作表示パネルに組み込んでいると、上記と同様な問題が生じる。
【特許文献１】特開２００４−２８５００号公報
【発明の開示】
【発明が解決しようとする課題】
【０００８】
したがって、本発明の課題は、上述の現状に鑑み、使用者がシートキースイッチを確実に押していることを分かるようにして、加熱部に対する安全機能を手間取ることなく設定・解除することを可能としたシートキースイッチ付きガスこんろを提供することである。
【課題を解決するための手段】
【０００９】
上記課題を解決するために、本発明は、加熱部での加熱時間を設定する設定スイッチを含む複数の操作スイッチと、前記加熱時間を表示する７セグメントＬＥＤ表示部とを備えた操作表示パネルに、所定押し時間押し続けることによって前記加熱部についての安全機能の設定・解除を行うシートキースイッチを備えたシートキースイッチ付きガスこんろにおいて、前記７セグメントＬＥＤ表示部に、前記シートキースイッチを押したときに、少なくとも１つのセグメントＬＥＤを点灯し、該スイッチを所定時間押し続けたときに、セグメントＬＥＤによる図形、数字または記号等の完了表示を完成するとともに、その間、点灯するセグメントＬＥＤを前記完了表示に向けて変化させることを特徴とする。
【００１０】
本発明によれば、前記シートキースイッチを、年少者のいたずらによる前記加熱部の点火を防ぐためのチャイルドロック機能の設定・解除スイッチとすることができる。あるいは、前記シートキースイッチを、前記加熱部上の調理鍋の有無を検知する鍋検知センサの検知機能の設定・解除スイッチとすることができる。また前記加熱部上の調理鍋の底板の温度を検知する鍋底温度センサにより、所定の高い調理温度を選択する高温モード設定・解除スイッチとすることができる。
【００１１】
本発明では、使用者がこんろ本体の操作表示パネルのシートキースイッチを押すと、該パネルの７セグメントＬＥＤ表示部にスイッチを押したことがセグメントＬＥＤの点灯によって表示されるので、押したことがわかりづらいシートキースイッチであっても、使用者はスイッチを確実に押したことが確認できる。また所定時間押し続けると、セグメントＬＥＤによる図形、数字または記号等の完了表示が表示されるので、チャイルドロック機能など加熱部についての安全機能の設定・解除を確実に行うことができ、さらに、その間、点灯するセグメントＬＥＤを完了表示に向けて変化させることにより、時間経過を表示させるので、安全機能の設定・解除を行うのに後どのくらい押していなければならないかが一目でわかる。
【発明の効果】
【００１２】
本発明によれば、使用者がシートキースイッチを確実に押していることが分かり、ガスこんろの加熱部に対する安全機能を手間取ることなく設定・解除することが可能となる。
【発明を実施するための最良の形態】
【００１３】
以下、図面を参照して本発明の実施例を詳述する。図１は、本発明の一実施例に係るガスこんろを示す斜視図である。本実施例のガスこんろ１は、台所のカウンタートップ２に開設した開口３に上面開放の薄型矩形状のこんろ本体４を落とし込んで、吊設されるドロップインこんろで、こんろ本体４の上面の開口を塞ぐ天板５に開設した前寄りの左の開口に標準バーナ６ａ、右の開口に大バーナ６ｂを、後寄りの中央の開口に小バーナ６ｃを臨ませるとともに、こんろ本体の略中央部内に設置した扉７ａで開閉されるグリル７の上下にバーナ（図示せず）を臨ませ、こんろ本体４の前面の右左に出入自在に設けたつまみ８ａ、８ｂ、８ｃ、８ｄを押すことによって、バーナ６ａ、６ｂ、６ｃおよびグリルバーナを着火するようになっている。
【００１４】
左バーナ６ａは、揚げもの等の複数の調理に使えるバーナで、該左バーナ６ａには、五徳に載置した鍋底にばねで上方向に付勢した上下動自在な感熱ヘッドで接触して、鍋底の温度を検知する鍋底温度センサ６ａ１と、鍋によって感熱ヘッドが押し下げられたときの感熱ヘッドに接続されたリード線の動きを鍋底温度センサの支持体に設けた磁石を利用した検出機構で検出して、五徳上の鍋の有無を検知する鍋検知センサ（図示せず）とが設けられている。鍋底温度センサ６ａ１は、鍋の加熱温度を設定したり、制御したりするのに使用され、鍋検知センサは、鍋が載置されていない状態で加熱するのを防ぐために使用される。右バーナ６ｂ、後バーナ６ｃにも、このような鍋底温度センサ、鍋検知センサを備えていてもよい。
【００１５】
こんろ本体４の前面の左のつまみ８ｄの下には、ガスこんろ電源の乾電池を収容する電池室９が設けられ、右のつまみ８ａ〜８ｃの下には、操作スイッチがシートキーで形成された薄厚・フラットタイプの操作表示パネル１０が設けられており、該操作表示パネル１０は、前端の蓋１０ａを押し込むと係止手段が外れて、ばねの力で前方に突出するように出入自在に構成されている。
【００１６】
操作表示パネル１０は、図２に示すように、左からグリル用のパネル部１１、揚げもの用のパネル部１２、タイマ用のパネル部１３が区画されるとともに、右端にチャイルドロックスイッチ１４と、左バーナ６ａについての高温モードの設定・解除をする高温モード選択スイッチ１５と、鍋検知センサのセンサ切りスイッチ１６とを有している。
【００１７】
グリル用のパネル部１１には、グリル７で焼成物を自動焼成する際の焼成物の種類を魚を基準に選択するスイッチを兼ねたオートメニュースイッチ１１ａ、焼き加減の選択スイッチ１１ｂ、およびそれらのＬＥＤ表示ランプ１１ａ１、１１ｂ１と、手動で焼成するときの焼成時間設定用の±ボタン１１ｃおよび２桁の７セグメントからなる時間表示部１１ｄが設けられる。
【００１８】
揚げもの用のパネル部１２には、左バーナ６ａを揚げものに使用するときの温度設定スイッチを兼ねた揚げもの選択スイッチ１２ａおよびその温度のＬＥＤ表示ランプ１２ａ１と、バーナ６ａを炊飯に使用するときの炊飯の種類を選択するスイッチを兼ねた炊飯選択スイッチ１２ｂおよびその種類のＬＥＤ表示ランプ１２ｂ１と、バーナ６ａを湯沸しに使用するときの沸騰後の保温または消火の種類を選択するスイッチを兼ねた湯沸し選択スイッチ１２ｃおよびその種類のＬＥＤ表示ランプ１２ｃ１とが設けられる。
【００１９】
タイマー用のパネル部１３には、左バーナ６ａ、右バーナ６ｂ、後バーナ６ｃ（左コンロ、右コンロ、後コンロ）を加熱時間を設定して使用するときのバーナの選択スイッチ１３ａおよびそのバーナ種類のＬＥＤ表示ランプ１３ａ１と、加熱時間設定用の±ボタン１３ｂおよび２桁の７セグメントＬＥＤからなる時間表示部１３ｃとが設けられる。
【００２０】
チャイルドロックスイッチ１４、高温モード選択スイッチ１５、センサ切りスイッチ１６は、上記の選択スイッチ１１ａ〜１１ｂ、１２ａ〜１２ｃ、１３ａや±ボタン１１ｃ、１３ｂと同様、シートキースイッチで形成されており、それぞれ隅にＬＥＤランプ１４ａ、１５ａ、１６ａが設けられている。
【００２１】
チャイルドロックスイッチ１４は、年少者などがいたずらで点火スイッチ８をオンしても、バーナ６やグリルバーナの着火動作を受け付けないようにするチャイルドロック機能を設定・解除するものである。高温モード選択スイッチ１５は、左バーナ６ａの鍋底温度センサ６ａ１により検出して制御される鍋底温度について、所定の高い調理温度を選択する高温モードを設定・解除するスイッチである。鍋底温度センサ１６ａ１で鍋底温度を検知している左バーナ６ａは、通常は約２５０℃（機種によって２３０〜２７０℃の幅あり）で油の過熱温度と見なして、自動消火（ハイカット温度機能）や火力を自動的に絞るようにしているが、焼き網調理等の高温で調理する場合、高温モード（焼き物モード）を選択すると、ハイカット設定温度が約３００℃まで上がり、高温での焼き物調理ができるようになる。センサ切りスイッチ１６は、鍋底温度センサ１６ａ１に組み込まれた鍋検知センサの検知機能を設定・解除するためのものである。
【００２２】
これらスイッチ１４、高温モード選択スイッチ１５、センサ切りスイッチ１６は、安全を期すために、２〜３秒程度の所定の一定時間押し続けることによって、それぞれチャイルドロック機能、高温モード選択機能、鍋底温度検知機能の設定・解除動作をオン・オフするように構成されている。これらスイッチ１４等を押すことによってそれぞれの機能の設定が完了したときは、ランプ１４ａ、１５ａ、１６ａが点灯し、それぞれの機能の解除が完了したときは、点灯していたランプ１４ａ、１５ａ、１６ａが消灯する。したがって、チャイルドロックスイッチ１４、高温モード選択スイッチ１５、センサ切りスイッチ１６の基本作用は同様なので、以下、チャイルドロックスイッチ１４に関連して、本発明を説明する。
【００２３】
ところで、シートキータイプのチャイルドロックスイッチ１４は、ボタンスイッチなどと違って確実に押されているか分かりづらく、押し損ねてチャイルドロック機能の設定・解除に手間取る問題がある。そこで、本発明では、チャイルドロックスイッチ１４が確実に押されていることを、タイマパネル部１３の時間表示部１３ｃの７セグメントＬＥＤを利用して表示させるようにした。まずロックスイッチ１４を押したときに、セグメントＬＥＤの１つまたは幾つかを点灯し、スイッチ１４をチャイルドロック機能の設定・解除の完了に要する時間だけ押し続けたら、セグメントＬＥＤの点灯により完了表示を表示し、さらにその間、点灯するセグメントＬＥＤを完了表示に向けて変化させて、完了表示が完成するまでの経過がわかるようにした。
【００２４】
完了表示は、図形、数字または記号等とすることができ、例えば数字は、チャイルドロック機能の設定・解除の完了に要する時間が３秒であったら、完了表示を「０」とし、ロックスイッチ１４をオンで「３」を表示し、以下１秒経過するごとに数字「１」を減じて、「３」→「２」→「１」→「０」の如く表示させる。
【００２５】
本実施例では、図３に示すように、タイマパネル部１３の時間表示部１３ｃの１桁目の７セグメントＬＥＤのセグメントｄ、ｃ、ｇ、ｅの点灯による四角形を完了表示とし、セグメントｄの点灯から始めて、セグメントｃ、ｇ、ｅの順に点灯するセグメントを１つずつ追加して、３秒間で四角形を完了するようにした。
【００２６】
そのときの制御フローを図４に示す。該フローは、こんろ本体４の電源４ａを入れるとスタートし、チャイルドロックスイッチ１４のオンの待ち受け状態になる。ステップＳ１で、使用者がロックスイッチ１４をオンしたこと（押したこと）を検知すると、７セグメントＬＥＤのセグメントｅを点灯し（ステップＳ２）、このセグメントｅの表示により、使用者はロックスイッチ１４が確実に押されたことを確認できる。セグメントｅの点灯からの経過時間が１秒に達したら（ステップＳ３）、使用者がロックスイッチ１４が確実に押し続けられていることを確認できるよう経過表示をさせるために、セグメントｅに加えてｄを点灯する(ステップＳ４)。ステップＳ３では、セグメントｄの点灯から１秒経過するまではステップＳ５に行き、ステップＳ５でロックスイッチのオフ（押すのを止めること）が検知されなければ、ステップＳ３に戻って経過時間を待ち、一方、ロックスイッチのオフが検知されれば、セグメントｅを消灯し（ステップＳ６）、待ち受け状態になってステップＳ１に戻る。
【００２７】
同様に、セグメントｄの点灯からの経過時間が１秒に達したら（ステップＳ７）、セグメントｅ、ｄに加えてセグメントｃを点灯し（ステップＳ８）、セグメントｄの点灯から未だ１秒経過しておらず、ロックスイッチのオフが検知されなければ、ステップＳ７に戻って経過時間を待ち（ステップＳ９）、ロックスイッチのオフが検知されれば、セグメントｅ、ｄを消灯し（ステップＳ１０）、ステップＳ１に戻る。セグメントｃの点灯からの経過時間が１秒に達したら(ステップＳ１１)、セグメントｅ、ｄ、ｃに加えてセグメントｇを点灯し(ステップＳ１２)、表示部１３ｃにセグメントｅ、ｄ、ｃ、ｇによる四角形の完成表示が表示される。
【００２８】
これにより、使用者はチャイルドロック機構の設定・解除に必要な時間だけロックボタンを押したことを知り、以後、ロックスイッチを押すのを止めて手を離しても、以下のステップＳ１５〜Ｓ１９によりチャイルドロック機能の設定または解除が行われる。ステップＳ１１でセグメントｃの点灯から１秒経過しておらず、ロックスイッチのオフが検知されなければ、ステップＳ１１に戻って経過時間を待ち（ステップＳ１３）、ロックスイッチのオフが検知されれば、セグメントｅ、ｄ、ｃを消灯し（ステップＳ１４）、ステップＳ１に戻る。
【００２９】
ステップＳ１５では、チャイルドロック機能が現在設定されているか、解除されているかを判断し、解除されているのであれば、ステップＳ１６でチャイルドロック機能を設定した後、ステップＳ１７でブザーのピー音を鳴らして、チャイルドロック機能が設定されたことを報知するとともに、ロックＬＥＤ１４ａを点灯し、小時間経過後７セグメントを消灯する。同様に、ステップＳ１５で、チャイルドロック機能が設定されていると判断されれば、ステップＳ１８でチャイルドロック機能を解除した後、ステップＳ１９でブザーのピー音を鳴らして、チャイルドロック機能が解除されたことを報知するとともに、点灯していたロックＬＥＤ１４ａを消灯し、小時間経過後７セグメントを消灯する。
【００３０】
以上によれば、使用者がこんろ本体４の操作表示パネル１０のロックスイッチ１４を押すと、７セグメントＬＥＤ表示部１３ｃにスイッチを押したことが7セグメントの点灯によって表示されるので、使用者はスイッチを確実に押したことが確認でき、所定時間押し続けると、点灯したセグメントＬＥＤによる図形、数字または記号等の完了表示が表示され、またその間、四角形の完了表示に至る経過が表示されるので、どのくらい押していなければならないかが一目でわかり、チャイルドロック機能の設定・解除を手間取ることなく確実に行うことができる。
【００３１】
以上では、完了表示としてセグメントｅ、ｄ、ｃ、ｇによる四角形を形成させたが、例えばセグメントｅ、ｆ→ｄ→ｂ、ｃ→ａの順に点灯してセグメントａ、ｂ、ｃ、ｄ、ｅ、ｆによる縦長の四角形などでもよく、使用者が見て分かりやすいものであれば、図形、数字、英文字などいずれの表示でも可能である。またロックスイッチ１４を所定時間（３秒間）押すことによって、チャイルドロック機能の設定・解除動作を開始するようにしたが、押し続け中に設定・解除動作を開始して、所定時間の押し続けが終了した時点で設定・解除が完了しているようにしてもよい。
【００３２】
高温モード選択スイッチ１５によって、鍋底温度センサ１６ａ１での温度検知で温度制御される左バーナ６ａに所定の高温（例えば３００℃）を選択する機能を設定・解除する場合も、図５に示すように、チャイルドロックスイッチ１４によってチャイルドロック機能を設定・解除するのに準じて表示が行われる。センサ切りスイッチ１６の場合も同様で、センサ切りスイッチ１６によって、鍋底温度センサ１６ａ１に組み込まれた鍋検知センサの検知機能の設定・解除をする場合のフローチャート図６に示す。
【００３３】
いずれの場合も、使用者がこんろ本体４の操作表示パネル１０の高温モード選択スイッチ１５、センサ切りスイッチ１６を押すと、７セグメントＬＥＤ表示部１３ｃにスイッチ１５、センサ切りスイッチ１６を押したことが7セグメントＬＥＤの点灯によって表示されるので、使用者はスイッチ１５、１６を確実に押したことが確認でき、所定時間押し続けると、点灯したセグメントＬＥＤによる図形、数字または記号等の完了表示が表示され、またその間、四角形の完了表示に至る経過が表示されるので、どのくらい押していなければならないかが一目でわかり、高温モード選択機能、鍋検知機能の設定・解除を手間取ることなく確実に行うことができる。
【００３４】
以上の実施例では、左バーナ６ａに鍋底温度センサや鍋検知センサを有する例を示したが、他のこんろバーナの右バーナ６ｂや後バーナ６ｃにも鍋底温度センサや鍋検知センサを搭載して、左バーナ６ａと同様にさせてもよい。
【図面の簡単な説明】
【００３５】
【図１】本発明の一実施例に係るガスこんろを示す斜視図である。
【図２】図１のガスこんろ本体に備えた操作表示パネルを示す平面図である。
【図３】図２のパネルのチャイルドロックスイッチを押したときにＬＥＤ表示部に表示させる７セグメントによる表示を示す説明図である。
【図４】図３の表示を説明するフローチャートである。
【図５】図２のパネルの高温モード選択スイッチを押したときにＬＥＤ表示部に表示される７セグメントによる表示を説明するフローチャートである。
【図６】図２のパネルの鍋検知センサに関するセンサ切りスイッチを押したときにＬＥＤ表示部に表示される７セグメントによる表示を説明するフローチャートである。
【符号の説明】
【００３６】
１      ガスこんろ                    ４      こんろ本体
６ａ〜６ｃ  バーナ                    ６ａ１  鍋底温度センサ
１０    操作表示パネル                １３ｃ  ７セグメントＬＥＤ表示部
１４    チャイルドロックスイッチ      １４ａ、１５ａ、１６ａ  ＬＥＤランプ
１５    高温モード選択スイッチ        １６    センサ切りスイッチ
【図１】
2006242423.tif 000003
【図２】
2006242423.tif 000004
【図３】
2006242423.tif 000005
【図４】
2006242423.tif 000006
【図５】
2006242423.tif 000007
【図６】
2006242423.tif 000008